(57)【特許請求の範囲】
【請求項１】
車両の状態を示す種々の情報の画像が表示される画像表示器と、前記画像を制御する制御手段とを備えた車両用表示装置であって、
前記制御手段は、前記画像表示器の表示領域に、前記車両の走行状態の計測量を示す文字板に相当する表示意匠の画像を表示する第１のレイヤと背景の画像を表示する第２のレイヤが重ね合わせ合成されて表示されるように制御すると共に、所定の表示変更指示信号に基づき、前記第１のレイヤにおける前記表示意匠の画像の表示領域に対応する、前記第２のレイヤにおける白色領域を段階的に増減させることにより、前記表示意匠が表示されている表示領域においてそのほぼ中心から放射状に高明度領域が膨張方向次いで縮小方向に可視速度で徐変されるように制御する
ことを特徴とする車両用表示装置。
【発明の詳細な説明】
【技術分野】
【０００１】
本発明は、液晶画像表示器等の画像表示器に車両の種々の情報が表示される車両用表示装置に関するものである。
【背景技術】
【０００２】
従来のこの種の車両用表示装置として特開昭６２−５８１１２号公報に開示されているものがある。
【０００３】
図１６は、上記公開公報に開示されている車両用表示装置を示す図であり、（Ａ）は全体構成図、（Ｂ）は表示画面の一例を示す画面構成図である。図１６（Ａ）において、車両用表示装置の表示部を取り付けた自動車の運転席における計器盤１２０と、ハンドル１２１と、計器盤１２０に取り付けられた表示画面１２２とが示されている。表示画面１２２は、常に所定の情報が表示される固定表示領域１２３と、切換スイッチの操作により複数たとえば３通りの表示画面が選択的に表示される多重表示領域１２４とよりなる。この多重表示領域１２４に表示される３通りの表示内容は、たとえば、タコメータを中心とする「タコ中心表示」、通常の自動車の計器盤に表示される内容にほぼ等しい情報を表示する「全項目表示」、および「セーフティモニタ表示」等である。
【０００４】
図１６（Ｂ）は、「タコ中心表示」の表示画面１２４ａを示す。表示画面１２４ａには、エンジンの回転計すなわちタコメータ１２５と、４輪駆動の前後輪への動力配分状態を示すトルクスプリット表示計１２６とが配置され、下部にターボ過給圧力計１２７、水温計１２８および燃料計１２９が配置されている。
【０００５】
この表示画面において、４輪駆動の前後輪への動力配分状態を示すトルクスプリット表示計１２６が表示されている領域１４１は、図１７（Ａ）および（Ｂ）に示すように、発生した異常の内容を示すウォーニングシンボルを表示する領域とされる。
【０００６】
すなわち、表示画面１２４の表示領域１４１に、トルクスプリット表示計１２６に代わり、図１７（Ａ）に示すように、たとえば「ブレーキ液不足」を表すウォーニングシンボル１４２が拡大された状態で表示される。
【０００７】
また、新規ウォーニング発生から所定時間が経過すると、図１７（Ｂ）に示すように、表示画面１２４の領域１４１には、トルクスプリット表示計１２６と縮小されたウォーニングシンボル１４２′が表示される。
【特許文献１】特開昭６２−５８１１２号公報
【発明の開示】
【発明が解決しようとする課題】
【０００８】
しかしながら、図１６および図１７に示す従来の車両用表示装置では、液晶画像表示器等の画像表示器を使用してはいるが、文字板の色彩と表示記号や目盛のコントラストや全体的な配色の多様化により、運転者の視認性があまり良好に感じられない表示になっているという問題がある。
【０００９】
そこで、本発明は、上記のような問題点に着目し、斬新でインパクトのある表示を行うことができる車両用表示装置を提供することを目的とする。
【課題を解決するための手段】
【００１０】
上記課題を達成するためになされた請求項１記載の発明は、車両の状態を示す種々の情報の画像が表示される画像表示器と、前記画像を制御する制御手段とを備えた車両用表示装置であって、前記制御手段は、前記画像表示器の表示領域に、前記車両の走行状態の計測量を示す文字板に相当する表示意匠の画像を表示する第１のレイヤと背景の画像を表示する第２のレイヤが重ね合わせ合成されて表示されるように制御すると共に、所定の表示変更指示信号に基づき、前記第１のレイヤにおける前記表示意匠の画像の表示領域に対応する、前記第２のレイヤにおける白色領域を段階的に増減させることにより、前記表示意匠が表示されている表示領域においてそのほぼ中心から放射状に高明度領域が膨張方向次いで縮小方向に可視速度で徐変されるように制御することを特徴とする車両用表示装置に存する。
【００１１】
請求項１記載の発明においては、画像表示器に表示される車両の状態を示す種々の情報の画像を制御する制御手段は、画像表示器の表示領域に、車両の走行状態の計測量を示す文字板に相当する表示意匠の画像を表示する第１のレイヤと背景の画像を表示する第２のレイヤが重ね合わせ合成されて表示されるように制御すると共に、所定の表示変更指示信号に基づき、第１のレイヤにおける表示意匠の画像の表示領域に対応する、第２のレイヤにおける白色領域を段階的に増減させることにより、表示意匠が表示されている表示領域においてそのほぼ中心から放射状に高明度領域が膨張方向次いで縮小方向に可視速度で徐変されるように制御する。
【発明の効果】
【００２０】
請求項１記載の発明によれば、車両の状態を示す種々の情報の画像が表示される画像表示器と、画像を制御する制御手段とを備えた車両用表示装置であって、制御手段は、画像表示器の表示領域に、車両の走行状態の計測量を示す文字板に相当する表示意匠の画像を表示する第１のレイヤと背景の画像を表示する第２のレイヤが重ね合わせ合成されて表示されるように制御すると共に、所定の表示変更指示信号に基づき、第１のレイヤにおける表示意匠の画像の表示領域に対応する、第２のレイヤにおける白色領域を段階的に増減させることにより、表示意匠が表示されている表示領域においてそのほぼ中心から放射状に高明度領域が膨張方向次いで縮小方向に可視速度で徐変されるように制御するので、従来のワーニング表示に対し、画像表示器の広域を利用して車両の走行状況変化を表すため、たとえば高速道路のように走行方向の遠方やバックミラーを監視する頻度の高い運転状況においても、運転者の視界に入り易く、注意を促すことができ、斬新でインパクトのある表示を行う車両用表示装置が得られる。また、白色領域の制御を文字板に相当する表示意匠のレイヤと別か表示変化の少ないレイヤで白色領域の画面をルーチン制御するため、制御構成が単純化でき、文字板の色彩が明度の暗い色彩であった場合、より鮮明に運転者に注意を促すことができ、斬新でインパクトのある表示を行う車両用表示装置が得られる。
【発明を実施するための最良の形態】
【００２５】
以下、本発明に係る車両用表示装置の実施の形態について、図面に基づき説明する。図１〜図３は、それぞれ、本発明に係る車両用表示装置の実施の形態を示す正面図、図４は、内部構造を示す透視図、図５は、図４における底面図、図６は、図４における左側面図、図７は、図６における部分拡大図、図８は、車両用表示装置の電気的構成を示すブロック図、図９は、移動機構のモータの構成例を説明する略図、図１０は、図８のブロック図におけるＬＣＤドライバの構成を示すブロック図、図１１〜図１４は、それぞれ、処理動作を示すフローチャート、図１５は、フラッシュ表示時のＬＣＤの画面表示の例を示す図である。
【００２６】
図１において、車両用表示装置１は、その正面の中央に、フルグラフィックメータ５０が配置されている。また、このフルグラフィックメータ５０の左右には、それぞれ、ウォーニング表示部９１，９２が配置されている。
【００２７】
フルグラフィックメータ５０は、画像表示器としてのＬＣＤ（液晶ディスプレイ）５１と、ＬＣＤ５１の表示画面の一部を覆う見返し板５２と、ＬＣＤ５１および見返し板５２の前面に配置された表示仕切り機構５３とを含む。ＬＣＤ５１は、ほぼ長方形の表示画面を有するが、表示画面の一部がほぼ長円状の開口部を有する見返し板５２で覆われることにより、ほぼ長円状の画面形状になっている。ＬＣＤ５１の表示画面には、車両の走行状態を示す種々の情報を表示することができる。
【００２８】
ほぼ長円状の表示画面のほぼ中央には、表示仕切り機構５３が配置されている。表示仕切り機構５３は、中央に円形の開口部を有する不透明な合成樹脂製の略リング状表示仕切り部材５４と、開口部に嵌合された拡大レンズ５５とを含む。拡大レンズ５５は、凸型、凹型等のいずれの形状のものでも良いが、ここでは凸型レンズを用いている。リング状表示仕切り部材５４には、所定の間隔（たとえば、等間隔）に複数（たとえば、１２個）の発光部８１ａ〜８１ｌが設けられている。
【００２９】
見返し板５２で隠されている領域を除くＬＣＤ５１の表示画面における全表示領域の一部である第１の表示領域としての、リング状表示仕切り部材５４の開口部で囲まれたＬＣＤ５１の表示領域には、車両の走行状態の計測量を示すほぼ円形の文字板に相当する表示意匠５６が表示される。この表示意匠５６は、第１の車両関連情報としてのエンジン回転数を指示するためのタコメータであり、その外周付近にタコメータ用目盛が表示される。また、エンジンをかけた時の実際のエンジン回転数計測量に対応して回転してタコメータ用目盛を指示する指針５７も表示される。表示意匠５６と指針５７の表示は、アナログ指示計器を構成する。
【００３０】
表示意匠５６の外周付近に表示されるタコメータ用目盛は、０〜１０の数字目盛と、各数字目盛の間に設けられた線目盛とを含んでいる。数字目盛は、それぞれ、×１０００ｒｐｍの回転数を表し、たとえば、数字目盛「１」は１０００ｒｐｍ、数字目盛「８」は８０００ｒｐｍを表している。また、数字目盛「７」と数字目盛「８」の間の背景色は、数字目盛「０」から数字目盛「７」までの背景色と異なっており、エンジン回転数のレッドゾーンを示す赤色で表示されている。
【００３１】
リング状表示仕切り部材５４に所定の間隔（たとえば、等間隔）で設けられた発光部８１ａ〜８１ｌは、表示意匠５６の０〜１０の数字目盛における各数字の位置に合わせられており、各数字に対応する目盛として役立っている。数字目盛「０」〜「６」に対応する位置にある発光部８１ｃ〜８１ｉは、白色で発光し、レッドゾーンを示す数字目盛「７」および「８」に対応する位置にある発光部８１ｊおよび８１ｋは、赤色で発光し、数字目盛のない位置にある発光部８１ａ，８１ｂ，８１ｌは、消灯している。すなわち、発光部８１ｊおよび８１ｋは、他の発光部と異なる色で発光するように、その発光形態が他の発光部の発光形態と異なっている。
【００３２】
表示意匠５６の中央付近には、タコメータ以外の他の情報表示を行う副表示領域５８が設けられている。副表示領域５８には、たとえば、車両の走行速度をデジタル表示するスピードメータを表示するスピードメータ表示領域５９と、ギアシフトを表示するギアシフト表示領域６０と、車両の走行距離をデジタル表示するオド／トリップメータを表示するオド／トリップメータ表示領域６１とが設けられている。
【００３３】
リング状表示仕切り部材５４の左側の外周と見返し板５２とで囲まれたＬＣＤ５１の表示画面には、たとえば、エンジンオイルの油圧を指示する油圧計を表示する油圧計表示領域６２と、エンジンオイルの油温を指示する油温計を表示する油温計表示領域６３が設けられている。
【００３４】
また、リング状表示仕切り部材５４の右側の外周と見返し板５２とで囲まれたＬＣＤ５１の表示画面には、たとえば、ガソリン等の燃料残量を指示する燃料計を表示する燃料計表示領域６４と、冷却水の温度を指示する水温計を表示する水温計表示領域６５とが設けられている。
【００３５】
さらに車両用表示装置１は、表示仕切り機構５３をＬＣＤ５１のほぼ長円形状の表示画面の長軸方向に移動することができるように構成されている。
【００３６】
図２は、表示仕切り機構５３をＬＣＤ５１のほぼ長円状の画面のほぼ中央から右端に移動させた状態を示している。表示仕切り機構５３の移動に同期して、表示意匠５６の表示も画面中央から右端に移動し、移動停止時に、移動前と同様にリング状表示仕切り部材５４で囲まれて表示される。
【００３７】
上述の表示仕切り機構５３および表示意匠５６表示の移動開始と同時に、ＬＣＤ５１の表示画面の左側に表示されていた油圧計表示領域６２および油温計表示領域６３と、右側に表示されていた燃料計表示領域６４および水温計表示領域６５の各表示は消去される。そして、表示仕切り機構５３および表示意匠５６表示の移動後、画面の中央から左端にかけて少し広くなった画面スペースには、上述の各表示領域に表示されていた車両関連情報以外の車両関連情報（請求項における第２の車両関連情報に相当する）が表示される。たとえば、図２においては、エンジンオイル残量（ＯＩＬ  ＬＥＶＥＬ）、ブレーキ液残量（ＢＲＡＫＥ  ＦＬＵＩＤ）、冷却水残量（ＣＯＯＬＡＮＴ）、排気温度（ＥＸＨ−ＴＥＭＰ）、吸気温度（ＩＮＴ−ＴＥＭＰ）、ウォッシャ液残量（ＷＡＳＨＥＲ）等が表示される。
【００３８】
さらに車両用表示装置１は、表示意匠５６の表示を回転させることができるように構成されている。この表示意匠５６の表示の回転は、回転の様子が視認できる速度で行われる。
【００３９】
図３は、表示意匠５６の表示を図１の状態から反時計回りに回転させた状態を示している。すなわち、図１の表示意匠５６では、数字目盛「０」は左斜め下に位置しているが、図３では、数字目盛「０」は反時計回りに９０度回転した位置になっている。なお、表示意匠５６の副表示領域５８は、回転せず、図１の表示状態を維持するように制御されている。このような表示意匠５６の表示の回転時、数字目盛「７」と数字目盛「８」間で赤色で示されるレッドゾーンも同様に回転し、数字目盛「７」が真上になっている。
【００４０】
また、表示意匠５６の表示を回転させても、リング状表示仕切り部材５４は回転しないが、発光部８１ａ〜８１ｌの発光状態が、表示意匠５６の表示の回転に同期して回転するように表示変更される。すなわち、レッドゾーンを示す数字目盛「７」および「８」に対応する位置にあるリング状表示仕切り部材５４の発光部８１ｇおよび８１ｈが、図１における発光部８１ｊおよび８１ｋに代わって赤色で発光し、発光部８１ａ〜８１ｆおよび８１ｌが白色で発光し、発光部８１ｉ〜８１ｋが消灯する。
【００４１】
次に、表示仕切り機構５３の移動を行わせる移動機構の構成について説明する。図４〜図６は、それぞれ、移動機構を説明するための車両用表示装置の正面透視図、底面透視図および左側面透視図である。移動機構６７は、見返し板５２の裏側であってかつＬＣＤ５１の上部および底部でリング状表示仕切り部材５４の裏面上下部分が結合された両端部を有し、ＬＣＤ５１の裏面側にかけて折り曲げられて延在する枠体６８と、ＬＣＤ５１が取り付けられた基板８３の裏面に配置された駆動源であるモータ６９と、モータ６９の駆動力を枠体６８に伝える伝達装置７０とを含む。また、移動機構６７は、ＬＣＤ５１の上部において枠体６８の一部を支持する第１支持部７１と、車両用表示装置１のハウジングにほぼ長円状表示画面の長軸方向に平行になるように取り付けられ、第１支持部７１がスライド可能に遊嵌されたシャフト７２と、基板８３の裏面側にほぼ長円状表示画面の長軸方向に平行に配置されたレール部材７３と、枠体６８に固定され、レール部材７３をガイドするガイド溝が形成された第２支持部７４も含む。
【００４２】
伝達装置７０は、モータ６９の回転軸に固定された歯車７０ａと、歯車７０ａにかみ合う歯車７０ｂと、歯車７０ｂの回転がベルト７０ｃで伝えられるピニオン歯車７０ｄと、枠体６８に固定され、ピニオン歯車７０ｄの回転運動を長軸方向と平行な直線運動に変換するラック７０ｅとを含む。
【００４３】
図７は、図６におけるリング状表示仕切り部材５４の部分拡大図であり、特に、発光部８１ａの構成を説明するための図である。発光部８１ａは、リング状表示仕切り部材５４の内側凹部５４ａに配置されたリング状配線基板８２に実装された２色ＬＥＤ（発光ダイオード）８１ａ１と、リング状表示仕切り部材５４に形成された窓５４ｂに取り付けられた透明部材８１ａ２とからなる。なお、図示していない他の発光部８１ｂ〜８１ｌも、発光部８１ａと同一の構成となっている。
【００４４】
次に、図８は、車両用表示装置１のフルグラフィックメータ５０における表示を制御するために基板に実装される制御部の電気的構成の主要部を示すブロック図である。すなわち、制御部８０は、制御手段としてのメインＣＰＵ８０ａと、バッテリ（図示しない）に接続され、メインＣＰＵ８０ａに適正な電源電圧を供給する電源回路８０ｂと、車速センサ（図示しない）からの走行速度検出信号（ＳＰＥＥＤ）が入力される入出力（Ｉ／Ｏ）回路８０ｃと、回転センサ（図示しない）からのエンジン回転数検出信号（ＴＡＣＨＯ）が入力される入出力（Ｉ／Ｏ）回路８０ｄと、燃料センサ（図示しない）からの燃料残量検出信号（ＦＵＥＬ）が入力される入出力（Ｉ／Ｏ）回路８０ｅと、冷却水温センサ（図示しない）からの冷却水温検出信号（ＴＥＭＰ）が入力される入出力（Ｉ／Ｏ）回路８０ｆと、その他のセンサからの検出信号が入力される入出力（Ｉ／Ｏ）回路８０ｇと、オド／トリップメータ切換スイッチ８０ｈと、表示仕切り機構５３の移動指示スイッチ８０ｉと、表示意匠５６の表示を変更させるための表示変更指示スイッチ８０ｊと、メインＣＰＵ８０ａで各種検出信号を演算処理して出力される各種情報の表示信号が入力され、ＴＦＴ型のＬＣＤ５１を駆動するＬＣＤドライバ８０ｋと、ＥＥＰＲＯＭ８０ｎと、モータ６９を駆動するモータドライバ８０ｐと、リング状表示仕切り部材５４に内蔵される複数の発光部８１ａ〜８１ｌにおける２色ＬＥＤを駆動するＬＥＤドライバ８０ｒとからなる。
【００４５】
モータ６９は、ステッパモータである。ステッパモータは、図９に示すように、Ｎ極およびＳ極が交互に着磁された回転子６９ａに対して、励磁コイル６９ｂに複数の励磁ステップの駆動パルスを供給することによりステップ駆動される。また、ステッパモータは、誘導電圧検出用コイル６９ｃを備えている。この誘導電圧検出用コイル６９ｃは、未励磁かつオープン状態にあってステップ駆動に使用されないものであり、回転子６９ａの回転に応じた大きさの誘導電圧を発生する。この誘導電圧が、しきい値より大きければ回転中であり、しきい値以下であれば回転停止であることを検出できる。そこで、この誘導電圧検出用コイル６９ｃで発生する誘導電圧を、モータ６９の停止検出信号として利用し、メインＣＰＵ８０ａに入力する。
【００４６】
また、ＥＥＰＲＯＭ８０ｎには、モータ６９の駆動によりリング状表示仕切り部材５４を移動開始位置から目標移動停止位置までに移動させるために必要な励磁ステップの基準ステップ数が予め記憶されている。
【００４７】
メインＣＰＵ８０ａは、リング状表示仕切り部材５４を移動させる移動モードと、円形文字板５６の表示を回転させる回転モードとを実行できるように制御する。
【００４８】
ＬＣＤドライバ８０ｋは、図１０に示すように、グラフィックコントロールＣＰＵ８０ｋ−１、グラフィックコントロールＩＣ８０ｋ−２およびグラフィックデータメモリ８０ｋ−３を含む。グラフィックコントロールＣＰＵ４は、メインＣＰＵ８０ａから供給された各種情報の表示信号を取り込み、描画処理して画像表示信号を出力する。グラフィックコントロールＣＰＵ４は、画像表示信号をグラフィックデータメモリ６に格納すると共に、グラフィックコントロールＩＣ５へ出力する。
【００４９】
グラフィックコントロールＩＣ５は、供給された画像表示信号により、ＬＣＤ５１を駆動する。グラフィックコントロールＩＣ５は、供給された画像表示信号が複数のレイヤ構造の合成画面としてＬＣＤ５１の表示画面に表示されるように駆動する。たとえば、グラフィックコントロールＩＣ５は、画像表示信号を６枚の画面のウインドウ形式で表示し、画面の透過／不透過を制御することにより、任意に重ね合わせることができる。画像表示信号は、たとえば、表示画面の一番手前をレイヤ１とし、以下順番にレイヤ２以降が配置され、一番奥をレイヤ６として順番に重ね合わされる。ＬＣＤ５１の表示画面は、背景を表す画像表示信号がレイヤ６に表示され、表示意匠５６がレイヤ１に表示され、指針５７はレイヤ２に表示され、副表示領域５８に表示される各メータはレイヤ３〜５にそれぞれ表示される。
【００５０】
次に、上述の構成を有する制御部におけるメインＣＰＵ８０ａの移動モード時の処理動作を図１１に示すフローチャートを参照して説明する。まず、車両用表示装置１の電源がオンされると、制御部８０の各部の初期化が行われる（ステップＳ１１）。
【００５１】
次に、リング状表示仕切り部材５４の位置確認が行われる（ステップＳ１２）。次に、ＬＣＤ５１に表示する各レイヤの画像の画素要素の設定が行われる（ステップＳ１３）。次に、各レイヤの透過／不透過の設定が行われる（ステップＳ１４）。次に、画素の合成が行われる（ステップＳ１５）。次に、各種検出信号の入力取り込みが行われる（ステップＳ１６）。次に、フルグラフィックメータ５０の画面に初期画面が表示される（ステップＳ１７）。この初期画面は、たとえば図１に示す画面が表示され、各種センサからの検出信号に基づき、エンジン回転数に応じて表示意匠５６および指針５７が表示されると共に、油圧計表示領域６２、油温計表示領域６３、燃料計表示領域６４および水温計表示領域６５にそれぞれの計測量に応じて指針が回転する表示が行われる。
【００５２】
このとき、表示意匠５６および指針５７は、リング状表示仕切り部材５４で取り囲まれると共に、レンズ５５で拡大されるので、ＬＣＤ５１の表示画面における一部の画像が拡大して表示され、あたかもこの拡大画像が他の画像部分より高くなって、独立した立体的表示面のように視認でき、斬新な表示を得ることができる。
【００５３】
次に、リング状表示仕切り部材５４の移動が指示されたか否かが判定される（ステップＳ１８）。この判定は、所定の表示移動指示信号としての移動指示スイッチ８０ｉの操作（手動動作時）または緊急表示モード移行指示信号の検出（自動動作時）の有無に基づいて行われる。この緊急表示モード移行指示は、たとえば、冷却水温の異常上昇を示す緊急表示モード移行指示信号がＩ／０回路８０ｇから入力された場合に行われる。
【００５４】
移動指示スイッチ８０ｉの操作（手動動作時）または緊急表示モード移行指示信号の検出（自動動作時）がない場合（ステップＳ１８の答がＮｏの場合）は、ステップＳ１６に戻る。この場合には、ステップＳ１６およびＳ１７により、各種検出信号の入力取り込みと初期画面が表示が更新される。
【００５５】
一方、移動指示スイッチ８０ｉの操作（手動動作時）または緊急表示モード移行指示信号の検出（自動動作時）がある場合（ステップＳ１８の答がＹｅｓの場合）は、ＬＣＤ５１の画像区分を、予めＥＥＰＲＯＭ８０ｎに記憶されている移動モードに設定する（ステップＳ１９）。メインＣＰＵ８０ａは、この移動モードは、設計時に、一定速の移動モード、またはモータ６９の特性に合わせた加速度特性を有する移動モードのどちらか一方に設定されるが、この最良の形態では、加速度特性を有する移動モードに設定されている。
【００５６】
このように、加速度特性を有する移動モードとした場合は、移動開始時から移動停止時まで画像の移動とリング状表示仕切り部材５４の移動が完全に同期して行われるので、違和感のない表示となる効果がある。なお、一定速の移動モードとした場合は、画像の一定速移動とリング状表示仕切り部材５４の加速度特性を伴う移動との不一致が移動開始時と移動停止時に発生し、メカニカルな部分（すなわち、リング状表示仕切り部材５４）の存在が強調される表示となる効果がある。
【００５７】
次に、モータ６９の駆動を開始する（ステップＳ２０）。それにより、移動機構６７において、モータ６９の回転運動は、伝達装置７０の歯車７０ａ、歯車７０ｂおよびベルト７０ｃを介してピニオン歯車７０ｄに伝達され、ピニオン歯車７０ｄの回転運動がラック７０ｅによって直線運動に変換され、枠体６８が直線的に移動する。このとき、枠体６８は、シャフト７２に遊嵌された第１支持部７１と、レール部材７３をガイドするガイド溝を有する第２支持部７４とで支持されているので、ＬＣＤ５１の長円形状の表示画面の長軸方向へ、すなわち図１における右方向へ移動する。この枠体６８の移動に伴い、表示仕切り機構５３のリング状表示仕切り部材５４は、同様に、ＬＣＤ５１の表示画面の画面中央から右方向に移動する。
【００５８】
次に、ステップＳ１７で設定された画像区分移動モードを開始する（ステップＳ２１）。それにより、リング状表示仕切り部材５４の移動と同期して、表示意匠５６および指針５７の表示は、画面中央から右方向に移動する。また、表示意匠５６および指針５７の表示の移動開始に先立って、油圧計表示領域６２、油温計表示領域６３、燃料計表示領域６４および水温計表示領域６５の各表示は消去される。
【００５９】
表示意匠５６および指針５７の表示の移動は、連続的に視認可能な速度で行われ、移動中、表示意匠５６および指針５７の表示が、常にリング状表示仕切り部材５４の開口部の内周で取り囲まれた状態として視認されるようになっている。
【００６０】
次に、モータ６９の駆動が正常状態にあるか否かが判定される（ステップＳ２２）。この判定は、リング状表示仕切り部材５４の位置検出とモータ６９からの停止検出信号とに基づいて行われる。たとえば、移動中に移動機構６７の誤動作等に起因して移動が中断された場合は、モータ６９は、駆動中にもかかわらずその回転が停止されるので、停止検出信号のレベルはしきい値以下となり、メインＣＰＵ８０ａは、モータ６９が停止したことを認識する。また、メインＣＰＵ８０ａは、移動開始から移動中断までの励磁ステップ数をカウントしており、このカウント値が基準ステップ数に達していないので、移動中であると認識している。その結果、メインＣＰＵ８０ａは、移動中にもかかわらずモータ６９が停止していることから、モータ６９の駆動が正常状態にないこと、すなわち異常状態であると判断する。
【００６１】
一方、停止検出信号のレベルがしきい値を超えており、励磁ステップ数のカウント値が基準ステップ数に達していなければ、メインＣＰＵ８０ａは、モータ６９の駆動が正常状態にあると判断する。
【００６２】
そこで、モータ６９の駆動が正常状態（ステップＳ２２の答がＹｅｓ）ならば、次に、リング状表示仕切り部材５４が目標移動停止位置まで移動したか否かが判定される（ステップＳ２３）。この判定は、励磁ステップ数のカウント値と基準ステップ数の比較により行われ、励磁ステップ数のカウント値が基準ステップ数に達したとき目標移動停止位置に達したと判定される。ステップＳ２３の答がＮｏならば、ステップＳ２０に戻り、Ｙｅｓならば、ステップＳ２４に進み、モータ６９の駆動が停止される。モータ６９の停止後、処理はステップＳ１６に戻る。
【００６３】
リング状表示仕切り部材５４の移動停止時には、表示意匠５６および指針５７の表示が、リング状表示仕切り部材５４の開口部の内周で取り囲まれた状態のままとして視認される。また、リング状表示仕切り部材５４の移動停止時、リング状表示仕切り部材５４の移動により空いた、表示意匠５６が表示されていた第１の表示領域と、油圧計表示領域６２および油温計表示領域６３が消去された領域とを含む表示領域には、これらの車両関連情報以外の車両関連情報、たとえば、図２に示すようにエンジンオイル残量（ＯＩＬ  ＬＥＶＥＬ）、ブレーキ液残量（ＢＲＡＫＥ  ＦＬＵＩＤ）、冷却水残量（ＣＯＯＬＡＮＴ）、排気温度（ＥＸＨ−ＴＥＭＰ）、吸気温度（ＩＮＴ−ＴＥＭＰ）、ウォッシャ液残量（ＷＡＳＨＥＲ）等が表示される。そして、ステップＳ１８で、冷却水温の異常上昇を示す緊急表示モード移行指示信号に基づく緊急表示モード移行指示が行われた場合は、冷却水温度のバー表示部分のみが他のバー表示分と異なる表示形態となって、運転者の注意を促す。たとえば、表示形態は、点滅表示や異なる色表示等とすることができる。
【００６４】
次に、リング状表示仕切り部材５４の移動停止後、再び移動指示スイッチ８０ｉが操作されると（ステップＳ１８のＹｅｓ）、ステップＳ１９〜Ｓ２３の処理によるモータ６９の逆回転および各表示領域の表示の復帰により、図１に示す移動前の状態に復帰する。
【００６５】
一方、ステップ２２において、モータ６９の駆動が正常状態になければ（ステップＳ２２の答がＮｏ）ならば、次いで、モータ６９の駆動が停止される（ステップＳ２５）。次に、ＬＣＤ５１の画面における表示意匠５６および指針５７の表示の移動が停止される（ステップＳ２６）。次に、リング状表示仕切り部材５４の停止位置の特定が行われる（ステップＳ２７）。この停止位置の特定は、励磁ステップのカウント値に基づいて算出される。
【００６６】
次に、ＬＣＤ５１の画面における表示意匠５６および指針５７の表示位置を、上述の特定された停止位置に移動させる（ステップＳ２８）。次に、モータ６９の駆動が異常状態にあることをＬＣＤ５１の画面上に表示する（ステップＳ２９）。
【００６７】
以上の処理により、もし移動中に移動機構６７の誤動作等により移動が中断されるようなトラブル時においても、リング状表示仕切り部材５４の位置と、表示意匠５６および指針５７の表示の位置はずれることなく、相変わらず、メインとなるエンジン回転数を示す表示意匠５６の画像をリング状表示仕切り部材５４で取り囲み、他の領域の画像と区別して視認させることができる。
【００６８】
このようにして、本発明の車両用表示装置によれば、安いコストでメリハリのある表示を得ることができかつ立体感を与えることができると共に、従来にない新規性に富み斬新さのある表示が可能となる。また、移動機構６７は、見返し板５２とＬＣＤ５１の裏面に隠されているので、移動中にも視認されることはなく、メータとしての美観を損なうことはない。
【００６９】
次に、メインＣＰＵ８０ａの回転モード時の処理動作を図１２および図１３に示すフローチャートを参照して説明する。図１２において、まず、車両用表示装置１の電源がオンされると、制御部８０の各部の初期化が行われる（ステップＳ３１）。
【００７０】
次に、リング状表示仕切り部材５４の位置確認が行われる（ステップＳ３２）。次に、ＬＣＤ５１に表示する各レイヤの画像の画素要素の設定が行われる（ステップＳ３３）。次に、各レイヤの透過／不透過の設定が行われる（ステップＳ３４）。次に、画素の合成が行われる（ステップＳ３５）。次に、発光部８１ａ〜８１ｌの点灯位置設定が行われる（ステップＳ３６）。次に、各種検出信号の入力取り込みが行われる（ステップＳ３７）。
【００７１】
次に、発光部８１ａ〜８１ｌの点灯の駆動が、ステップＳ３４の設定にしたがって行われる（ステップＳ３８）。ここでは、発光部８１ｃ〜８１ｉの２色ＬＥＤが白色で点灯し、発光部８１ｊおよび８１ｋが赤色で点灯し、発光部８１ａ，８１ｂ，８１ｌの２色ＬＥＤが消灯するように駆動される。
【００７２】
次に、フルグラフィックメータ５０の画面に、ステップＳ３３の設定に基づいて初期画面が表示される（ステップＳ３９）。この初期画面は、たとえば図１に示す画面が表示され、各種センサからの検出信号に基づき、エンジン回転数に応じて円形文字板５６および指針５７が表示されると共に、油圧計表示領域６２、油温計表示領域６３、燃料計表示領域６４および水温計表示領域６５にそれぞれの計測量に応じて指針が回転する表示が行われる。
【００７３】
上述のステップＳ３８およびＳ３９の処理によって、初期画面は図１に示すような画面となり、表示意匠５６は、数字目盛「０」が左斜め下に位置し、発光部は、８１ｊおよび８１ｋが赤色点灯するように表示位置が変更されてレッドゾーンを示す。
【００７４】
次に、発光部８１ａ〜８１ｌの表示位置の変更が指示されたか否かが判定される（ステップＳ４０）。この判定は、表示変更指示スイッチ８０ｊの操作（手動動作時）または表示位置変更のメインＣＰＵ８０ａ内部要求（自動動作時）による所定の表示変更指示信号の有無に基づいて行われる。
【００７５】
表示変更指示スイッチ８０ｊの操作（手動動作時）または表示位置変更のメインＣＰＵ８０ａ内部要求（自動動作時）がない場合（ステップＳ４０の答がＮｏの場合）は、ステップＳ３７に戻る。この場合には、ステップＳ３７〜Ｓ３９により、各種検出信号の入力取り込みと初期画面の表示が更新される。
【００７６】
一方、表示変更指示スイッチ８０ｊの操作（手動動作時）または表示位置変更のメインＣＰＵ８０ａ内部要求（自動動作時）がある場合（ステップＳ４０の答がＹｅｓの場合）は、発光部８１ａ〜８１ｌの表示を、予めＥＥＰＲＯＭ８０ｎに記憶されている表示位置モードに設定する（ステップＳ４１）。
【００７７】
この表示位置モードは、たとえば、図１３のフローチャートに示す１ステップ作動モードに設定されている。すなわち、まず、図１２のフローチャートにおけるステップＳ３８にしたがって、発光部８１ｃ〜８１ｉを白色点灯、発光部８１ｊおよび８１ｋを赤色点灯、発光部８１ａ，８１ｂ，８１ｌを消灯となるように駆動する（ステップＳ５１）。次に、発光部８１ｋを消灯し（ステップＳ５２）、次に、発光部８１ｉを白色点灯から赤色点灯に切り換え（ステップＳ５３）、次に、発光部８１ｈを消灯させた後すぐに白色点灯させ、以下同様に、発光部８１ｇ、８１ｆ、８１ｅ、８１ｄ、８１ｃの順に、消灯させた後すぐに白色点灯させ（ステップＳ５４）、次に、発光部８１ｂを消灯から点灯となるように駆動する（ステップＳ５５）。
【００７８】
このように、１ステップ作動モードでは、当初の各発光部の点灯状態が、順次反時計回りに１ステップずつ変更されていくように駆動される。特に、異なる発光形態（赤色発光）の発光部が、発光部８１ｊから他の発光部８１ｉ、８１ｈおよび８１ｇへ、また発光部８１ｋから他の発光部８１ｊ、８１ｉおよび８１ｈへ、それぞれ順次移行するように駆動される。このような点灯状態の変更は、視認可能な速度で行われるため、リング状表示仕切り部材５４は、実際には回転していないにもかかわらず、あたかも反時計回りに回転しているかのように視認される。
【００７９】
次に、発光部８１ａ〜８１ｌの表示位置変更に同期すべく、対象となる画像回転の区分設定が行われる（ステップＳ４２）。次に、表示意匠５６の画像を、予めＥＥＰＲＯＭ８０ｎに記憶されている画像回転モードに設定する（ステップＳ４３）。この画像回転モードは、発光部８１ａ〜８１ｌの表示位置変更の速度に同期する同期画像回転モード、または発光部８１ａ〜８１ｌの表示変更の速度に対して遅延等の時間ズレを持つ時間ズレ画像回転モードのどちらかに設定されるが、この最良の形態では、同期画像回転モードに設定されている。
【００８０】
次に、ステップＳ４１で設定された表示位置モード、すなわち１ステップ作動モードにしたがって、発光部８１ａ〜８１ｌの表示位置変更を開始する（ステップＳ４４）。それにより、発光部８１ａ〜８１ｌの各々の表示位置が、当初の点灯状態から反時計回りに１ステップずつ変更されていき、リング状表示仕切り部材５４は、実際には回転していないにもかかわらず、あたかも反時計回りに回転しているかのように視認される。
【００８１】
次に、ステップＳ４３で設定された画像回転モードが開始される（ステップＳ４５）。それにより、表示意匠５６の数字目盛「０」〜「８」が、当初の表示位置から反時計回りに回転を開始する。この表示意匠円形文字板５６の回転は、発光部８１ａ〜８１ｌの表示変更と同期して行われる。すなわち、表示意匠円形文字板５６の各数字目盛は、発光部８１ａ〜８１ｌの各々の１ステップずつの回転移動に合わせて、反時計回りに回転移動移動していく。
【００８２】
次に、発光部８１ａ〜８１ｌの表示位置変更が終了したか否かが判定される（ステップＳ４６）。この判定では、各発光部８１ａ〜８１ｌが予め決められたステップ数、たとえば３ステップだけ、反時計回りに表示位置変更が行われた時に回転した時に表示位置変更終了となるように設定されている。
【００８３】
表示位置変更が終了すれば（ステップＳ４６の答がＹｅｓ）ならば、発光部８１ａ〜８１ｆおよび８１ｌは白色点灯、発光部８１ｇおよび８１ｈは赤色点灯、発光部８１ｉ，８１ｊ，８１ｋは消灯となるように駆動される。そして、表示位置変更の終了により、画像回転モードが停止され（ステップＳ４７）、表示意匠５６の画像は、各数字目盛が予め決められた角度、たとえば９０度だけ反時計回りに回転した状態で回転停止する。
【００８４】
その結果、表示位置変更の終了時点では、ＬＣＤ５１の画面は、図３に示す画面となり、表示意匠５６は、数字目盛「０」が左斜め下から９０度だけ反時計回りに回転した位置になるとともに、発光部は、８１ｇおよび８１ｈが赤色点灯するように表示位置が変更されてレッドゾーンを示す。
【００８５】
ステップ４７の処理後は、ステップＳ３７に戻り、以降ステップＳ４０で発光部表示位置変更の指示があれば、ステップＳ４１〜Ｓ４７の処理が繰り返され、ＬＣＤ５１の画面は、図１に示す画面に戻る。
【００８６】
このようにして、回転モードでは、発光部８１ａ〜８１ｌの発光形態を変更（白色発光と赤色発光の切り換え）したり、点滅させたりすることによって、あたかもリング状表示仕切り部材５４が回転しているかのように見せることができ、立体感のある斬新なメリハリのある表示を行うことができる。
【００８７】
また、回転モード時には、タコメータの回転数のレッドゾーンをメータの上部に位置させることができ、レッドゾーンが見易くなるので、たとえばサーキット走行時に回転モードとすることによって、マニュアル操作のギヤシフトレバーの切り換え時期を判断し易くなる。すなわち、サーキットにおいて車両を走行させ、ギヤシフトしながらスピードを上げる際、スピードメータ表示領域５９にデジタル表示されるスピードを監視することなく、タコメータのみを監視して、タコメータの指針が目盛「７」と「８」間のレッドゾーンまで回転する直前にギヤシフトを行うことによって、スムーズに車両をスピードアップさせることができる。
【００８８】
また、上述のサーキット走行時の回転モードをサーキットモードと言い換えれば、サーキットモードにおいては、回転モード作動後に移動モードも作動させて、リング状表示仕切り部材５４を一時的に移動させ、移動により空いたＬＥＤ５１の左側画面に、走行するサーキットのロードマップを表示させたり、サーキット走行に必要なタイヤ空気圧の確認画面を表示させたりすることもできる。
【００８９】
また、タコメータの指針が、レッドゾーンの開始位置の目盛「７」の直前まで回転すると、図１４のフラッシング処理が割り込みで行われる。すなわち、タコメータの回転数Ｎが規定回転数Ｎｒ（この例では、６５００ｒｐｍとする）に達した否かを判定し（ステップＳ６１）、規定回転数Ｎｒに達すると、次いで、表示変更指示信号がギアシフトタイミングを示す信号として出力され、それにより、リング状表示仕切り部材５４の開口部で取り囲まれているほぼ円形の文字板に相当する表示意匠５６の画像のフラッシング点灯（高明度領域の拡大）工程が行われる（ステップＳ６２）。
【００９０】
このフラッシング点灯工程は、図３の画面状態から、明度の暗い色彩になっている表示意匠５６の円形文字板のほぼ中心から外周まで段階的に背景色のレイヤの高明度領域を放射状に可視速度で膨張（拡大）方向に徐変させるように制御することにより行われる。たとえば、図１５に示すように、図１５（Ａ）（図３の画面状態）から、たとえば背景色のレイヤの白色領域５６ａを、表示意匠５６の中心よりまずある半径幅にわたって生じ（図１５（Ｂ）の１回目）、次第にその半径幅の変化の割合が大きくなるように増加していくことにより、ｎ回のフラッシングが行われる（図１５（Ｂ）の２回目〜図１５（Ｄ）のｎ−１回目）（ステップＳ６２）。１回目からｎ−１回目までの高明度領域の膨張（拡大）は、表示意匠５６の円形文字板に合わせて、その中心から時間の経過と共に段階的に半径の増加する円形の白色領域５６ａを増加させる。そして、ｎ回目の高明度の拡大は、背景色のレイヤの白色領域５６ａをＬＥＤ５１の画面全体とする（ステップＳ６３）。これにより、表示意匠５６は、あたかもホワイトアウトしたかのように見えなくなる。
【００９１】
次に、表示意匠５６のフラッシング消灯（高明度領域の縮小）工程が行われる（ステップＳ６４）。このフラッシング消灯工程は、図１５（Ｅ）の画面状態から、フラッシング点灯（高明度領域の拡大）工程と逆に、表示意匠５６の外周から中心まで段階的に背景色のレイヤの高明度領域を放射状に可視速度で縮小方向に徐変させるように制御することにより行われる。すなわち、背景色のレイヤの白色領域５６ａを、１回目の図１５（Ｆ）の画面状態から、ｍ回目の（Ｈ）の画面状態まで、段階的にその半径幅の変化の割合が小さくなるように縮小していくことにより、ｍ回のフラッシングが行われる。
【００９２】
次に、フラッシング点灯工程および消灯工程のＬ回繰り返しが終了したか否かを判定する（ステップＳ６５）。この繰り返し回数Ｌは、１回でも２回以上のいずれでも良い。その答がノーならば、ステップＳ６２に戻り、イエスならば、次にフラッシング消灯（高明度拡大領域非表示）して（ステップＳ６６）、図１５（Ｉ）の画面状態、すなわち図３の画面状態に戻り、次いでフラッシング処理を終了する。
【００９３】
上記のフラッシング点灯および処理工程は、具体的には、表示意匠５６の画像を表示しているレイヤ（第１のレイヤ）における表示意匠５６の画像の表示領域に対応する、上述の背景色の画像を表示するレイヤ（第２のレイヤ）における白色領域の半径幅が段階的に大きくなる複数の表示画像データをグラフィックデータメモリ８０ｋ−３に記憶させておき、タコメータの回転数Ｎが規定回転数Ｎｒに達したとき、数１０ミリ秒毎にそれらを順次読み出し、最大半径幅に至ったら今度は半径幅が段階的に小さくなる逆順に順次読み出して、表示意匠５６の画像を表示するレイヤ（第１のレイヤ）と合成する。それにより、ＬＣＤ５１の合成画面において、表示意匠５６は、フラッシュ表示の開始から中心から外周に向かって次第に白色領域が優勢になって視認できなくなり、フラッシュ表示の終了時に再び図３の画面状態に戻り視認できるようになる。このフラッシュ表示は、開始から終了までたとえば、０．５秒程度の間に行われる。なお、リング状表示仕切り部材５４の開口部で取り囲まれている表示意匠５６以外の表示領域６２および６３は、フラッシュ表示されない。
【００９４】
このとき、表示意匠５６の輝度は一定であり、元の表示意匠５６の明度より高い高明度領域としての白色領域５６ａの増減により色調のみ段階的に変化する。したがって、輝度の変化がないため、運転者の目を眩ませるなどの悪影響を及ぼすことがない。
【００９５】
このフラッシング処理は、ギヤが１速から２速、３速とシフトチェンジされるたびに、タコメータの指針がレッドゾーン直前の規定回転数Ｎｒまで回転すると、表示意匠５６のフラッシュ表示が行われるので、運転者はマニュアル操作のギヤシフトのタイミングであることの注意を促されるので、それにより、スムーズにギヤシフトを行うことができる。しかも、表示意匠５６の中心からの半径幅の変化の割合が一様でなく次第に大きくなるように白色領域が増加していくので、高速道路のレーンチェンジや、コーナーリングにより周囲に注意を払わなければならない場合であってもギアシフトチェンジを促す情報が把握でき、運転席内の遮音性や振動が伝わり難い車両であっても的確なギアシフトタイミングが把握できる。
【００９６】
以上説明したように、本発明によれば、フラッシュ表示により運転者に注意を促すことができ、斬新でインパクトのある表示を行う車両用表示装置が得られる。
【００９７】
以上の通り、本発明の実施の形態について説明したが、本発明はこれに限らず、種々の変形、応用が可能である。
【００９８】
たとえば、上述の実施の形態では、画像表示器としてＬＣＤを用いているが、これに限らず、有機ＥＬやプラズマディスプレイ等の他の表示素子を用いることができる。この場合、有機ＥＬやプラズマディスプレイは、本来輝度が変化する素子なので、フラッシング表示を行う際に、画面の輝度変化を規制する制御を使用する。
【００９９】
また、上述の実施の形態では、フラッシュ表示は１回のフラッシングで行われるが、これに限らず２回以上のフラッシングとしても良い。
【０１００】
また、上述の実施の形態では、フラッシュ表示時、白色領域は、表示意匠５６の中心より外周に向かって半径幅の変化の割合が次第に大きくなるように増加し、外周より中心に向かって半径幅が増加の場合と同様の半径幅ずつ次第に次第に小さくなるように減少しているが、これに限らず、等しい半径幅で増減させたり他の増減方法が可能である。
【図面の簡単な説明】
【０１０１】
【図１】本発明の最良の形態に係る車両用表示装置の正面図である。
【図２】図１の車両用表示装置における移動モード時の状態を示す正面図である。
【図３】図１の車両用表示装置における回転モード時の状態を示す正面図である。
【図４】移動機構を説明するための正面透視図である。
【図５】移動機構を説明するための底面透視図である。
【図６】移動機構を説明するための左側面透視図である。
【図７】図６における部分拡大図である。
【図８】車両用表示装置の電気的構成を示すブロック図である。
【図９】移動機構のモータの構成例を説明する略図である。
【図１０】図８のブロック図におけるＬＣＤドライバの構成を示すブロック図である。
【図１１】制御部の移動モード時の処理動作を示すフローチャートである。
【図１２】制御部の回転モード時の処理動作を示すフローチャートである。
【図１３】制御部の１ステップモード時の処理動作を示すフローチャートである。
【図１４】制御部のフラッシュ表示時の処理動作を示すフローチャートである。
【図１５】フラッシュ表示時のＬＣＤの画面表示の例を示す図である。
【図１６】従来の車両用表示装置の一例を示す図であり、（Ａ）は全体構成図、（Ｂ）は表示画面の一例を示す画面構成図である。
【図１７】（Ａ）および（Ｂ）は表示画面の他の例を示す画面構成図である。
【符号の説明】
【０１０２】
１    車両用表示装置
５０  フルグラフィックメータ
５１  ＬＣＤ（画像表示器）
５３  表示仕切り機構
５３  リング状表示仕切り部材
８０ａ  ＣＰＵ（制御手段）
【図１】
0004764754.tif 000002
【図２】
0004764754.tif 000003
【図３】
0004764754.tif 000004
【図４】
0004764754.tif 000005
【図５】
0004764754.tif 000006
【図６】
0004764754.tif 000007
【図７】
0004764754.tif 000008
【図８】
0004764754.tif 000009
【図９】
0004764754.tif 000010
【図１０】
0004764754.tif 000011
【図１１】
0004764754.tif 000012
【図１２】
0004764754.tif 000013
【図１３】
0004764754.tif 000014
【図１４】
0004764754.tif 000015
【図１５】
0004764754.tif 000016
【図１６】
0004764754.tif 000017
【図１７】
0004764754.tif 000018